(57)【要約】  広角レンズ（１００）において、絞り（８１）に対して物体側に配置された第３レンズ（３０）および第４レンズ（４０）の位置精度を高めることによって、色収差を適正に補正する。より具体的には、広角レンズ（１００）は、５群７枚のレンズ構成を有しており、絞り（８１）に対して像側では、正レンズからなる第５レンズ（５０）と、第６レンズ（６０）および第７レンズ（７０）からなる第２接合レンズ（１２０）とが配置されている。絞り（８１）に対して物体側では、第３レンズ（３０）と第４レンズ（４０）とが第１接合レンズ（１１０）を構成している。第１接合レンズ（１１０）では、第４レンズ（４０）に設けた（凹部４６２）の内周面からなる段部（４６５）が、第３レンズ（３０）のフランジ部（３６）の突出部（３６２）の外周面（３６５）に当接し、位置を規定している。
2018110526.tif 000002
【特許請求の範囲】
【請求項１】
物体側より順に配置された第１レンズ、第２レンズ、第３レンズ、第４レンズ、絞り、第５レンズ、第６レンズ、および第７レンズからなり、
前記第１レンズは、物体側に凸面を向けた負メニスカスレンズであり、
前記第２レンズは、像側に凹面を向けた負メニスカスレンズであり、
前記第３レンズは、物体側に凹面を向けた負レンズであり、
前記第４レンズは、像側に凸面を向けた正レンズであり、
前記第５レンズは、正レンズであり、
前記第６レンズは、像側に凹面を向けた負レンズであり、
前記第７レンズは、物体側および像側の双方に凸面を向けた両凸レンズであり、
前記第３レンズ、前記第４レンズ、前記第６レンズおよび前記第７レンズはいずれも、プラスチックレンズであり、
前記第３レンズと前記第４レンズとは、前記第３レンズの像側の面と前記第４レンズの物体側の面とが樹脂材により接合された第１接合レンズを構成し、
前記第６レンズと前記第７レンズとは、前記第６レンズの像側の面と前記第７レンズの物体側の面とが樹脂材により接合された第２接合レンズを構成していることを特徴とする広角レンズ。
【請求項２】
前記第３レンズおよび前記第４レンズの合成焦点距離をｆ３４（ｍｍ）とし、前記第５レンズ、前記第６レンズおよび前記第７レンズの合成焦点距離をｆ５６７（ｍｍ）としたとき、合成焦点距離ｆ３４、ｆ５６７は、以下の条件
１＜ｆ３４／ｆ５６７＜４
を満たすことを特徴とする請求項１に記載の広角レンズ。
【請求項３】
前記第３レンズおよび前記第４レンズの合成焦点距離をｆ３４（ｍｍ）とし、レンズ系全体の合成焦点距離をｆ０（ｍｍ）としたとき、合成焦点距離ｆ３４、ｆ０は、以下の条件
２＜ｆ３４／ｆ０＜９
を満たすことを特徴とする請求項１または２に記載の広角レンズ。
【請求項４】
前記第５レンズの焦点距離をｆ５（ｍｍ）とし、レンズ系全体の合成焦点距離をｆ０（ｍｍ）としたとき、合成焦点距離ｆ５、ｆ０は、以下の条件
２＜ｆ５／ｆ０＜４
を満たすことを特徴とする請求項１から３までの何れか一項に記載の広角レンズ。
【請求項５】
前記第５レンズ、前記第６レンズおよび前記第７レンズの合成焦点距離をｆ５６７（ｍｍ）とし、レンズ系全体の合成焦点距離をｆ０（ｍｍ）としたとき、合成焦点距離ｆ５６７、ｆ０は、以下の条件
２＜ｆ５６７／ｆ０＜４
を満たすことを特徴とする請求項１から４までの何れか一項に記載の広角レンズ。
【請求項６】
前記第１レンズおよび前記第２レンズの合成焦点距離をｆ１２（ｍｍ）とし、レンズ系全体の合成焦点距離をｆ０（ｍｍ）としたとき、合成焦点距離ｆ１２、ｆ０は、以下の条件
０．５＜｜ｆ１２／ｆ０｜＜２．５
を満たすことを特徴とする請求項１から５までの何れか一項に記載の広角レンズ。
【請求項７】
前記第１レンズおよび前記第２レンズの合成焦点距離をｆ１２（ｍｍ）とし、前記第３レンズ、前記第４レンズ、前記第５レンズ、前記第６レンズおよび前記第７レンズの合成焦点距離をｆ３４５６７（ｍｍ）としたとき、合成焦点距離ｆ１２、ｆ３４５６７は、以下の条件
０．１＜｜ｆ１２／ｆ３４５６７｜＜１
を満たすことを特徴とする請求項１から６までの何れか一項に記載の広角レンズ。
【請求項８】
レンズ系全体の光軸上における前記第１レンズの物体側の面から像面までの距離である全長をｄ０（ｍｍ）とし、レンズ系全体の合成焦点距離をｆ０（ｍｍ）としたとき、全長ｄ０、および合成焦点距離ｆ０は、以下の条件
１０＜ｄ０／ｆ０＜１８
を満たすことを特徴とする請求項１から７までの何れか一項に記載の広角レンズ。
【請求項９】
前記第３レンズおよび前記第４レンズは各々、物体側のレンズ面および像側のレンズ面のうちの少なくとも一方が非球面であることを特徴とする請求項１から８までの何れか一項に記載の広角レンズ。
【請求項１０】
前記第５レンズは、ガラスレンズであることを特徴とする請求項１から９までの何れか一項に記載の広角レンズ。
【請求項１１】
前記第５レンズは、物体側および像側の双方に凸面を向けた両凸レンズであることを特徴とする請求項１から１０までの何れか一項に記載の広角レンズ。
【請求項１２】
前記第３レンズは、物体側および像側の双方に凹面を向けた両凹レンズであり、
前記第４レンズは、物体側および像側の双方に凸面を向けた両凸レンズであることを特徴とする請求項１から１１までの何れか一項に記載の広角レンズ。
【請求項１３】
前記第１接合レンズと前記第２接合レンズとでは、接合されたレンズの屈折率の大小関係が前記絞りを挟んで対称であることを特徴とする請求項１から１２までの何れか一項に記載の広角レンズ。
【請求項１４】
前記第４レンズの屈折率をｎ４とし、前記第４レンズのアッベ数をν４としたとき、屈折率ｎ４およびアッベ数ν４は各々、以下の条件
ｎ４≧１．６
ν４≦２６
を満たしていることを特徴とする請求項１から１３までの何れか一項に記載の広角レンズ。
【請求項１５】
前記第６レンズの屈折率をｎ６とし、前記第６レンズのアッベ数をν６としたとき、屈折率ｎ６およびアッベ数ν６は各々、以下の条件
ｎ６≧１．６
ν６≦２６
を満たしていることを特徴とする請求項１から１４までの何れか一項に記載の広角レンズ。
【請求項１６】
前記第２レンズは、物体側のレンズ面および像側のレンズ面の少なくとも一方が非球面であることを特徴とする請求項１から１５までの何れか一項に記載の広角レンズ。
【請求項１７】
前記第１レンズはガラスレンズであることを特徴とする請求項１から１６までのいずれか一項に記載の広角レンズ。
【請求項１８】
前記第３レンズにおいて像側のレンズ面の周りを囲むフランジ部、および前記第４レンズにおいて物体側のレンズ面の周りを囲むフランジ部のうちの一方のフランジ部は、他方のフランジ部の外周面に当接して前記他方のフランジ部の径方向における位置を規定する段部が形成されていることを特徴とする請求項１から１７までのいずれか一項に記載の広角レンズ。
【請求項１９】
前記段部は、環状に形成されて前記他方のフランジ部の外周面に全周にわたって当接していることを特徴とする請求項１８に記載の広角レンズ。
【請求項２０】
射影方式が、中心像よりも周辺像の方が大きくなる立体射影方式であることを特徴とする請求項１から１９までのいずれか一項に記載の広角レンズ。
【発明の詳細な説明】
【技術分野】
【０００１】
本発明は、各種撮像系に用いられる広角レンズに関するものである。
【背景技術】
【０００２】
広角レンズにおいて、高解像度を得るために、絞りに対して像側に接合レンズを配置した４群５枚や５群６枚の広角レンズが提案されている（特許文献１、２参照）。しかしながら、絞りに対して像側に接合レンズを配置しただけでは、周辺部での非点収差や倍率色収差の補正が十分でない。一方、絞りに対して物体側に４枚の単レンズを配置し、絞りに対して像側に正の単レンズ、および接合レンズを配置した６群７枚の広角レンズが提案されている（特許文献３参照）。
【先行技術文献】
【特許文献】
【０００３】
【特許文献１】特開２００９−６３８７７号公報
【特許文献２】特開２０１５−３４９２２号公報
【特許文献３】特開２０１１−１０７４２５号公報
【発明の概要】
【発明が解決しようとする課題】
【０００４】
広角レンズは、さらなる高解像度化を実現するために光学性能の要求が厳しくなってきている。そのため、各特許文献１、２、３に記載の広角レンズにおいて、感度の高いレンズ相互に位置関係がずれてしまった場合、解像度化が低下するという問題点がある。【０００５】
以上の問題点に鑑みて、本発明の課題は、さらなる高解像度化を実現することのできる広角レンズを提供することにある。
【課題を解決するための手段】
【０００６】
上記課題を解決するために、本発明に係る広角レンズは、物体側より順に配置された第１レンズ、第２レンズ、第３レンズ、第４レンズ、絞り、第５レンズ、第６レンズ、および第７レンズからなり、前記第１レンズは、物体側に凸面を向けた負メニスカスレンズであり、前記第２レンズは、像側に凹面を向けた負メニスカスレンズであり、前記第３レンズは、物体側に凹面を向けた負レンズであり、前記第４レンズは、像側に凸面を向けた正レンズであり、前記第５レンズは、正レンズであり、前記第６レンズは、像側に凹面を向けた負レンズであり、前記第７レンズは、物体側および像側の双方に凸面を向けた両凸レンズであり、前記第３レンズ、前記第４レンズ、前記第６レンズおよび前記第７レンズはいずれも、プラスチックレンズであり、前記第３レンズと前記第４レンズとは、前記第３レンズの像側の面と前記第４レンズの物体側の面とが樹脂材により接合された第１接合レンズを構成し、前記第６レンズと前記第７レンズとは、前記第６レンズの像側の面と前記第７レンズの物体側の面とが樹脂材により接合された第２接合レンズを構成していることを特徴とする。【０００７】
本発明に係る広角レンズは、物体側より順に配置された第１レンズ、第２レンズ、第３レンズ、第４レンズ、絞り、第５レンズ、第６レンズ、および第７レンズからなり、絞りに対して物体側では、第３レンズと第４レンズとが接合レンズ（第１接合レンズ）を構成している。このため、第３レンズの像側の面と第４レンズの物体側の面との間に高い位置精度を出すことができる。従って、像面湾曲や像面倒れを十分に補正することができる。また、色収差を適切に補正することができる。また、絞りに対して像側では、正レンズである第５レンズと、負レンズである第６レンズと正レンズである第７レンズとの接合レンズ（第２接合レンズ）が配置されたトリプレット構成となっている。このため、非点収差、球面収差、倍率色収差等を十分に補正することができる。また、第２接合レンズでは、第６レンズの像側の凹面と第７レンズの物体側の凸面とが接合されているため、非点収差以外の収差、例えば、色収差を適切に補正することができる。また、第１接合レンズおよび第２接合レンズの２つの接合レンズが配置されていることで、広角レンズの色収差を十分に補正することができる。従って、さらなる高解像度化を実現することができる。しかも、第３レンズ、第４レンズ、第６レンズ、および第７レンズがプラスチックレンズであるため、低コスト化を図ることができる。【０００８】
本発明において、前記第３レンズおよび前記第４レンズの合成焦点距離をｆ３４（ｍｍ）とし、前記第５レンズ、前記第６レンズおよび前記第７レンズの合成焦点距離をｆ５６７（ｍｍ）としたとき、合成焦点距離ｆ３４、ｆ５６７は、以下の条件
１＜ｆ３４／ｆ５６７＜４
を満たす態様を採用することができる。かかる態様によれば、色収差をバランスよく補正することができる。【０００９】
本発明において、前記第３レンズおよび前記第４レンズの合成焦点距離をｆ３４（ｍｍ）とし、レンズ系全体の合成焦点距離をｆ０（ｍｍ）としたとき、合成焦点距離ｆ３４、ｆ０は、以下の条件
２＜ｆ３４／ｆ０＜９
を満たす態様を採用することができる。かかる態様では、ｆ３４／ｆ０が２（下限）を超えているため、物体側に配置されたレンズのパワーが強くなりすぎることを回避することができる。従って、像面湾曲、倍率色収差、コマ収差等の各種収差の補正を適正に行うことができ、高い光学特性を実現することができる。また、ｆ３４／ｆ０が９（上限）未満であるため、レンズ径が大きくなりすぎることを抑制することができるとともに、レンズ系全体の全長が長くなることを回避することができる。それ故、広角レンズの小型化を図ることができる。【００１０】
本発明において、前記第５レンズの焦点距離をｆ５（ｍｍ）とし、レンズ系全体の合成焦点距離をｆ０（ｍｍ）としたとき、合成焦点距離ｆ５、ｆ０は、以下の条件
２＜ｆ５／ｆ０＜４
を満たす態様を採用することができる。かかる態様では、ｆ５／ｆ０が２（下限）を超えているため、物体側に配置されたレンズのパワーが強くなりすぎることを回避することができる。従って、像面湾曲、倍率色収差、コマ収差等の各種収差の補正を適正に行うことができ、光学特性に優れた広角レンズを実現することができる。また、ｆ５／ｆ０が４（上限）未満であるため、レンズ径や物像間距離を小さくすることができる。従って、広角レンズの小型化を図ることができる。【００１１】
本発明において、前記第５レンズ、前記第６レンズおよび前記第７レンズの合成焦点距離をｆ５６７（ｍｍ）とし、レンズ系全体の合成焦点距離をｆ０（ｍｍ）としたとき、合成焦点距離ｆ５６７、ｆ０は、以下の条件
２＜ｆ５６７／ｆ０＜４
を満たす態様を採用することができる。かかる態様では、ｆ５６７／ｆ０が２（下限）を超えるため、第５レンズ、第６レンズおよび第７レンズからなるレンズ群のパワーが強くなりすぎてしまうことを防ぐことができる。従って、各収差、特に色収差の補正をより良好に行うことができ、さらに高い光学性能を実現することができる。また、ｆ５６７／ｆ０が４（上限）未満であるため、レンズ径が大きくなりすぎることを抑制することができるとともに、レンズ系全体の全長が長くなることを回避することができる。それ故、広角レンズの小型化を図ることができる。【００１２】
本発明において、前記第１レンズおよび前記第２レンズの合成焦点距離をｆ１２（ｍｍ）とし、レンズ系全体の合成焦点距離をｆ０（ｍｍ）としたとき、合成焦点距離ｆ１２、ｆ０は、以下の条件
０．５＜｜ｆ１２／ｆ０｜＜２．５
を満たす態様を採用することができる。かかる態様によれば、｜ｆ１２／ｆ０｜が０．５（下限）を超えるため、像面湾曲を抑えることができる。また、｜ｆ１２／ｆ０｜が２．５（上限）未満であるため、視野角を大きくすることができる。【００１３】
本発明において、前記第１レンズおよび前記第２レンズの合成焦点距離をｆ１２（ｍｍ）とし、前記第３レンズ、前記第４レンズ、前記第５レンズ、前記第６レンズおよび前記第７レンズの合成焦点距離をｆ３４５６７（ｍｍ）としたとき、合成焦点距離ｆ１２、ｆ３４５６７は、以下の条件
０．１＜｜ｆ１２／ｆ３４５６７｜＜１
を満たす態様を採用することができる。かかる態様によれば、｜ｆ１２／ｆ３４５６７｜の値が１（上限）未満であるため、正のパワーが強くなりすぎることを抑制することができる。従って、コマ収差や非点収差を適正に補正することができる。また、｜ｆ１２／ｆ３４５６７｜の値が０．１（下限）を超えるため、負のパワーが強くなりすぎることを抑制することができる。従って、レンズ系全体の全長が長くなることを回避することができる。それ故、広角レンズの小型化を図ることができる。【００１４】
本発明において、レンズ系全体の光軸上における前記第１レンズの物体側の面から像面までの距離である全長をｄ０（ｍｍ）とし、レンズ系全体の合成焦点距離をｆ０（ｍｍ）としたとき、全長ｄ０、および合成焦点距離ｆ０は、以下の条件
１０＜ｄ０／ｆ０＜１８
を満たす態様を採用することができる。かかる態様によれば、ｄ０／ｆ０の値が１０（下限）を超えているので、球面収差や歪曲収差を適正に補正することができる。また、ｄ０／ｆ０の値が１８（上限）未満であるので、レンズ径が大きくなりすぎることを抑制することができるとともに、レンズ系全体の全長が長くなることを回避することができる。【００１５】
本発明において、前記第３レンズおよび前記第４レンズは各々、物体側のレンズ面および像側のレンズ面のうちの少なくとも一方が非球面である態様を採用することができる。【００１６】
本発明において、前記第５レンズは、ガラスレンズである態様を採用することができる。かかる態様によれば、温度変化に伴う屈折率変化が小さいので、広角レンズの温度特性を向上することができる。従って、広い温度範囲にわたって、さらなる高解像度化を実現することができる。【００１７】
本発明において、前記第５レンズは、物体側および像側の双方に凸面を向けた両凸レンズである態様を採用することができる。【００１８】
本発明において、前記第３レンズは、物体側および像側の双方に凹面を向けた両凹レンズであり、前記第４レンズは、物体側および像側の双方に凸面を向けた両凸レンズである態様を採用することができる。かかる態様によれば、第３レンズが負レンズであるため、絞りの両側（物体側および像側）に正レンズからなる第４レンズおよび第５レンズを配置したレンズ構成とすることができる。かかるレンズ構成では、絞りの両側が対称に近い構成となる。従って、周辺部での非点収差や倍率色収差を減少させることができる。また、負レンズからなる第３レンズを配置したため、第４レンズより前側の負のパワーを第１レンズ、第２レンズおよび第３レンズで分割することができる。それ故、第１レンズの像側の凹面を浅くすることができるので、第１レンズの製造が容易である。【００１９】
本発明において、前記第１接合レンズと前記第２接合レンズとでは、接合されたレンズの屈折率の大小関係が前記絞りを挟んで対称である態様を採用することができる。かかる態様によれば、絞りより物体側で発生した収差と絞りより像側で発生した収差とを打ち消しやすいので、非点収差や像面湾曲を適正に補正することができる。従って、さらなる高解像度化を実現することができる。【００２０】
本発明において、前記第４レンズの屈折率をｎ４とし、前記第４レンズのアッベ数をν４としたとき、屈折率ｎ４およびアッベ数ν４は各々、以下の条件
ｎ４≧１．６
ν４≦２６
を満たしている態様を採用することができる。かかる態様によれば、倍率色収差を適正に補正することができるので、さらなる高解像度化を実現することができる。また、屈折率ｎ４が大きいので、広角レンズの全長を短くすることができる。【００２１】
本発明において、前記第６レンズの屈折率をｎ６とし、前記第６レンズのアッベ数をν６としたとき、屈折率ｎ６およびアッベ数ν６は各々、以下の条件
ｎ６≧１．６
ν６≦２６
を満たしている態様を採用することができる。かかる態様によれば、倍率色収差を適正に補正することができるので、さらなる高解像度化を実現することができる。また、屈折率ｎ６が大きいので、広角レンズの全長を短くすることができる。【００２２】
本発明において、前記第２レンズは、物体側のレンズ面および像側のレンズ面の少なくとも一方が非球面である態様を採用することができる。【００２３】
本発明において、前記第１レンズはガラスレンズである態様を使用することができる。かかる態様によれば、最も物体側に配置される第１レンズがガラスレンズであるため、第１レンズに傷等がつきにくい。【００２４】
本発明において、前記第３レンズにおいて像側のレンズ面の周りを囲むフランジ部、および前記第４レンズにおいて物体側のレンズ面の周りを囲むフランジ部のうちの一方のフランジ部は、他方のフランジ部の外周面に当接して前記他方のフランジ部の径方向における位置を規定する段部が形成されている態様を採用することができる。かかる態様によれば、第３レンズと第４レンズとを高い位置精度で接合して第１接合レンズを構成することができるので、色収差を適正に補正することができる。従って、さらなる高解像度化を実現することができる。【００２５】
本発明において、前記段部は、環状に形成されて前記他方のフランジ部の外周面に全周にわたって当接している態様を採用することができる。【００２６】
本発明においては、射影方式が、中心像よりも周辺像の方が大きくなる立体射影方式である。かかる立体射影方式の場合、色収差の発生が増えるが、第１接合レンズを配置することで色収差を第１接合レンズで適切に補正することができる。
【図面の簡単な説明】
【００２７】
【図１】本発明の実施形態１に係る広角レンズを備えたレンズユニットの断面図である。
【図２】図１に示す広角レンズの面番号等を示す説明図である。
【図３】図１に示す広角レンズの球面収差を示す説明図である。
【図４】図１に示す広角レンズの倍率色収差を示す説明図である。
【図５】図１に示す広角レンズの非点収差およびディストーションを示す説明図である。
【図６】図１に示す広角レンズ横収差を示す説明図である。
【図７】図１に示す広角レンズに用いた第３レンズおよび第４レンズを像側からみた斜視図である。
【図８】図１に示す広角レンズに用いた第３レンズおよび第４レンズを物体側からみた斜視図である。
【図９】本発明の実施形態２に係る広角レンズの面番号等を示す説明図である。
【図１０】図９に示す広角レンズの球面収差を示す説明図である。
【図１１】図９に示す広角レンズの倍率色収差を示す説明図である。
【図１２】図９に示す広角レンズの非点収差およびディストーションを示す説明図である。
【図１３】図９に示す広角レンズの横収差を示す説明図である。
【発明を実施するための形態】
【００２８】
［実施形態１］
（広角レンズ１００の構成）
図１は、本発明の実施形態１に係る広角レンズ１００を備えたレンズユニット１５０の断面図である。図２は、図１に示す広角レンズ１００の面番号等を示す説明図である。なお、図２に面番号を表すにあたって、非球面には「＊」を付してある。
【００２９】
図１に示すように、本形態のレンズユニット１５０（広角レンズユニット）は、広角レンズ１００と、広角レンズ１００を内側に保持するホルダ９０とを有している。本形態において、広角レンズ１００は、水平画角が１５０°以上の広角レンズとして構成されている。
【００３０】
図１および図２に示すように、広角レンズ１００は、物体側Ｌａから像側Ｌｂに向けて順に配置された第１レンズ１０、第２レンズ２０、第３レンズ３０、第４レンズ４０、絞り８１、第５レンズ５０、第６レンズ６０、および第７レンズ７０からなり、第７レンズ７０に対して像側Ｌｂに平板状の赤外線フィルタ８２、透光性のカバー８３、および撮像素子８５が順に配置されている。また、第２レンズ２０と第３レンズ３０との間に円環状の遮光シート８４が配置されている。
【００３１】
第１レンズ１０は、物体側Ｌａに凸面を向けた負メニスカスレンズ（負のパワーを有するメニスカスレンズ）であり、像側Ｌｂに凹面を向けている。第２レンズ２０は、像側Ｌｂに凹面を向けた負メニスカスレンズ（負のパワーを有するメニスカスレンズ）であり、物体側Ｌａに凸面を向けている。第３レンズ３０は、物体側Ｌａに凹面を向けた負レンズ（負のパワーを有するレンズ）である。第４レンズ４０は、像側Ｌｂに凸面を向けた正レンズ（正のパワーを有するレンズ）である。第５レンズ５０は、正レンズである。第６レンズ６０は、像側Ｌｂに凹面を向けた負レンズ（負のパワーを有するレンズ）である。第７レンズ７０は、物体側Ｌａおよび像側Ｌｂの双方に凸面を向けた両凸レンズであり、正のパワーを有している。
【００３２】
第３レンズ３０、第４レンズ４０、第６レンズ６０および第７レンズ７０はいずれも、プラスチックレンズである。第３レンズ３０と第４レンズ４０は、第３レンズ３０の像側Ｌｂの面と第４レンズ４０の物体側Ｌａの面とが樹脂材１１１により接合された第１接合レンズ１１０を構成し、第６レンズ６０と第７レンズ７０は、第６レンズ６０の像側Ｌｂの面と第７レンズ７０の物体側Ｌａの面とが樹脂材１２１により接合された第２接合レンズ１２０を構成している。本形態において、樹脂材１１１および樹脂材１２１は、ＵＶ硬化型の接着剤である。接着剤は、硬化後も弾性を有する材質であることが好ましい。
【００３３】
（レンズ構成）
本形態においては、図２に示すように、第１レンズ１０の物体側Ｌａのレンズ面１０１（第１面１）は球面の凸面であり、第１レンズ１０の像側Ｌｂのレンズ面１０２（第２面２）は球面の凹面である。第２レンズ２０は、物体側Ｌａのレンズ面２１および像側Ｌｂのレンズ面２２の少なくとも一方が非球面である。より具体的には、第２レンズ２０の物体側Ｌａのレンズ面２１（第３面３）は非球面の凸面であり、第２レンズ２０の像側Ｌｂのレンズ面２２（第４面４）は非球面の凹面である。
【００３４】
第３レンズ３０および第４レンズ４０は各々、物体側Ｌａのレンズ面および像側Ｌｂのレンズ面のうちの少なくとも一方が非球面である。本形態において、第３レンズ３０は、物体側Ｌａおよび像側Ｌｂの双方に凹面を向けた両凹レンズである。より具体的には、第３レンズ３０において、物体側Ｌａのレンズ面３１（第５面５）は非球面の凹面であり、像側Ｌｂのレンズ面３２（第６面６）は球面の凹面である。第４レンズ４０は、物体側Ｌａおよび像側Ｌｂの双方に凸面を向けた両凸レンズである。より具体的には、第４レンズ４０において、物体側Ｌａのレンズ面４１は、第３レンズ３０のレンズ面３２と同一形状の球面からなる凸面からなり、第６面６を構成している。第４レンズ４０において、像側Ｌｂのレンズ面４２（第７面）は非球面の凸面である。
【００３５】
絞り８１は第８面８を構成している。第５レンズ５０は、物体側Ｌａのレンズ面５１（第９面９）および像側Ｌｂのレンズ面５２（第１０面１０）がいずれも球面の凸面からなる両凸レンズである。
【００３６】
第６レンズ６０および第７レンズ７０は各々、物体側Ｌａのレンズ面および像側Ｌｂのレンズ面のうちの少なくとも一方が非球面である。本形態において、第６レンズ６０において、物体側Ｌａのレンズ面６１（第１１面１１）は非球面の凸面であり、像側Ｌｂのレンズ面６２（第１２面１２）は非球面の凹面である。第７レンズ７０において、物体側Ｌａのレンズ面７１は、第６レンズ６０のレンズ面６２と同一形状の非球面からなる凸面からなり、第１２面１２を構成している。第７レンズ７０において、像側Ｌｂのレンズ面７２（第１３面）は非球面の凸面である。
【００３７】
なお、赤外線フィルタ８２の物体側Ｌａの面８２１は第１４面１４を構成し、像側Ｌｂの面８２２は第１５面１５を構成している。カバー８３の物体側Ｌａの面８３１は第１６面１６を構成し、像側Ｌｂの面８３２は第１７面１７を構成している。
【００３８】
ここで、第１レンズ１０および第５レンズ５０はガラスレンズであり、第２レンズ２０、第３レンズ３０、第４レンズ４０、第６レンズ６０および第７レンズ７０は、アクリル樹脂系、ポリカーボネート系、ポリオレフィン系等からなるプラスチックレンズである。
【００３９】
本形態の広角レンズ１００の各レンズの構成等は、表１に示す通りであり、表１には、広角レンズ１００の特性として以下の特性を示してある。本形態において、広角レンズ１００の射影方式は、中心像よりも周辺像の方が大きくなる立体射影方式である。
レンズ系全体の焦点距離ｆ0（Effective Focal Length）
全長（Total Track）
レンズ系全体のＦ値（Image Space F/#）
最大画角（Max. Field Angle）
【００４０】
また、表１には、各面の以下の項目が示されている。曲率半径、厚さ、焦点距離の単位はｍｍである。ここで、レンズ面が物体側に向けて突出した凸面あるいは物体側に向けて凹んだ凹面である場合には、曲率半径を正の値とし、レンズ面が像側に向けて突出した凸面あるいは像側に向けて凹んだ凹面である場合、曲率半径を負の値としてある。
曲率半径（Radius）
厚さ（Thickness）
屈折率Ｎｄ
アッベ数νｄ
焦点距離ｆ
【００４１】
また、表１には、非球面の形状を下式（数１）で表した際の非球面係数Ａ4、Ａ6、Ａ8、Ａ10が示されている。下式においては、サグ量（光軸方向の軸）をｚ、光軸と垂直方向の高さ（光線高さ）をｒ、円錐係数をｋ、曲率半径の逆数をｃとしてある。
【００４２】
【数１】
2018110526.tif 000003
【００４３】
【表１】
2018110526.tif 000004
【００４４】
表１に示すように、本形態の広角レンズ１００においては、レンズ系全体の焦点距離ｆ0は０．８５５ｍｍであり、全長は１２．１９８ｍｍであり、レンズ系全体のＦ値は２．０であり、最大画角は２０４ｄｅｇであり、水平画角は１５０ｄｅｇ以上である。
【００４５】
第１接合レンズ１１０と第２接合レンズ１２０とでは、接合されたレンズの屈折率の大小関係が絞り８１を挟んで対称である。より具体的には、第１接合レンズ１１０において、第３レンズ３０の屈折率Ｎｄは１．５４４であり、第４レンズ４０の屈折率Ｎｄは１．６３５である。従って、第１接合レンズ１１０において、物体側Ｌａの第３レンズ３０の屈折率Ｎｄは、像側Ｌｂの第４レンズ４０の屈折率Ｎｄより大きい。これに対して、第２接合レンズ１２０において、第６レンズ６０の屈折率Ｎｄは１．６３５であり、第７レンズ７０の屈折率Ｎｄは１．５４４である。従って、第２接合レンズ１２０において、像側Ｌｂの第７レンズ７０の屈折率Ｎｄは、物体側Ｌａの第６レンズ６０の屈折率Ｎｄより大きい。
【００４６】
また、第４レンズ４０の屈折率をｎ４とし、第４レンズ４０のアッベ数をν４としたとき、屈折率ｎ４およびアッベ数ν４は各々、以下の条件
ｎ４≧１．６
ν４≦２６
を満たしている。本形態において、第４レンズ４０の屈折率ｎ４は１．６３５であり、第４レンズ４０のアッベ数ν４は２４．０であり、上式を満たしている。
【００４７】
また、第６レンズ６０の屈折率をｎ６とし、第６レンズ６０のアッベ数をν６としたとき、屈折率ｎ６およびアッベ数ν６は各々、以下の条件
ｎ６≧１．６
ν６≦２６
を満たしている。本形態において、第６レンズ６０の屈折率ｎ６は１．６３５であり、第６レンズ６０のアッベ数ν６は２４．０であり、上式を満たしている。
【００４８】
（広角レンズ１００の収差特性）
図３は、図１に示す広角レンズ１００の球面収差を示す説明図である。図４は、図１に示す広角レンズ１００の倍率色収差を示す説明図であり、最大画角（１０２．０９８９ｄｅｇ／半角）における倍率色収差を示してある。図５は、図１に示す広角レンズ１００の非点収差およびディストーションを示す説明図である。図６は、図１に示す広角レンズ１００の横収差を示す説明図である。
【００４９】
なお、図３、図４、図５には、赤色光Ｒ（波長６５６ｎｍ）、緑色光Ｇ（波長５８８ｎｍ）、青色光Ｂ（波長４８６ｎｍ）における各収差を示してある。また、図４に示す非点収差に関しては、サジタル方向の特性にＳを付し、タンジェンシャル方向の特性にＴを付してある。また、図４に示すディストーションとは、撮像中央部と周辺部における像の変化比率を示し、ディストーションをあらわす数値の絶対値が小さいほど、高精度なレンズといえる。図６には、赤色光Ｒ（波長６５６ｎｍ）、緑色光Ｇ（波長５８８ｎｍ）、青色光Ｂ（波長４８６ｎｍ）の各角度０．００ｄｅｇ、２９．９１ｄｅｇ、５７．６９ｄｅｇ、７６．０８ｄｅｇ、９５．２６ｄｅｇ、および１０２．１０ｄｅｇにおける光軸に直交する２方向（ｙ方向およびｘ方向）の横収差を纏めて示してある。
【００５０】
図３〜図６に示すように、本形態の広角レンズ１００においては、球面収差、倍率色収差、非点収差（ディストーション）、および横収差が適正なレベルまで補正されている。
【００５１】
（ホルダ９０等の構成）
図１に示すホルダ９０は、樹脂製であり、光軸Ｌ方向において、最も後側に位置する底板部９７と、底板部９７の外周縁から前側（物体側Ｌａ）に延在する筒状胴部９１と、筒状胴部９１の前端で径方向外側に拡径する環状の受け部９２と、筒状胴部９１より大の内径をもって受け部９２の外周縁から前側（物体側Ｌａ）に延在する大径の筒状部９４とを有している。かかるホルダ９０において、底板部９７には開口部９７０が形成されており、底板部９７の像側Ｌｂの面には赤外線フィルタ８２が保持されている。
【００５２】
ホルダ９０の筒状胴部９１の内部には、物体側Ｌａから像側Ｌｂに向けて、第１収容部９１１、第１収容部９１１より内径が小さい第２収容部９１２、第２収容部９１２より内径が小さい第３収容部９１３、第３収容部９１３より内径が小さい第４収容部９１４、および第４収容部９１４より内径が小さい第５収容部９１５が順に形成されている。かかる構成に対応して、筒状胴部９１には像側Ｌｂから物体側Ｌａに向けて凹んだ凹部９６が円環状に形成されている。また、凹部９６の内周面には、第１収容部９１１、第２収容部９１２、第３収容部９１３、第４収容部９１４、および第５収容部９１５との間に肉厚差を圧縮するように段部が形成されている。このため、ホルダ９０を樹脂成形により製造する際、樹脂のヒケに起因する寸法精度の低下を抑制することができる。
【００５３】
本形態において、第２接合レンズ１２０では、第６レンズ６０の外径が第７レンズ７０の外径より大きいことから、第６レンズ６０において第７レンズ７０から径方向外側に張り出した部分が第４収容部９１４と第５収容部９１５との間の段部９１６に当接している。また、筒状胴部９１の内部には、第２接合レンズ１２０に対して物体側Ｌａ側に第５レンズ５０、絞り８１、第１接合レンズ１１０、遮光シート８４、および第２レンズ２０が順に重ねて配置されている。その際、第５レンズ５０は、筒状部材８９を介してホルダ９０に保持される。また、第１レンズ１０の外径は、筒状胴部９１の内径より大きく、第１レンズ１０は、筒状部９４の内側で受け部９２に当接するように配置されている。また、第１レンズ１０と受け部９２との間には、受け部９２に形成された環状溝９３にＯリング９９が配置されており、この状態で、筒状部９４の物体側Ｌａの端部がカシメされて第１レンズ１０が固定されている。
【００５４】
（第１接合レンズ１１０の構成）
図７は、図１に示す広角レンズ１００に用いた第３レンズ３０および第４レンズ４０を像側Ｌｂからみた斜視図である。図８は、図１に示す広角レンズ１００に用いた第３レンズ３０および第４レンズ４０を物体側Ｌａからみた斜視図である。
【００５５】
図７および図８に示すように、第１接合レンズ１１０に用いた第３レンズ３０は、レンズ面３１、３２の周りにフランジ部３６を有している。また、フランジ部３６の像側Ｌｂの面３６３は、レンズ面３２の周りで像側Ｌｂに突出した円環状の突出部３６２を有している。これに対して、第１接合レンズ１１０に用いた第４レンズ４０は、レンズ面４１、４２の周りにフランジ部４６を有している。また、フランジ部４６の物体側Ｌａの面４６３は、レンズ面４１の周りで像側Ｌｂに向けて凹んだ凹部４６２を有しており、凹部４６２の内径は、第３レンズ３０の突出部３６２の外径と略等しい。
【００５６】
従って、第３レンズ３０の像側Ｌｂの面と第４レンズ４０の物体側Ｌａとの面を樹脂材１１１で接合する際、第３レンズ３０の突出部３６２が第４レンズ４０の凹部４６２に嵌る。従って、第４レンズ４０の凹部４６２の内周面からなる段部４６５が、フランジ部３６の突出部３６２の外周面３６５に当接し、段部４６５は、フランジ部３６の径方向における位置を規定する。その結果、第３レンズ３０と第４レンズ４０とが径方向において高い位置精度で接合される。本形態において、段部４６５は、環状に形成されていることから、フランジ部３６の突出部３６２の外周面３６５に全周にわたって当接し、第３レンズ３０と第４レンズ４０とが径方向において高い位置精度で接合される。
【００５７】
（本形態の主な効果）
以上説明したように、本形態の広角レンズ１００は、物体側Ｌａより順に配置された第１レンズ１０、第２レンズ２０、第３レンズ３０、第４レンズ４０、絞り８１、第５レンズ５０、第６レンズ６０、および第７レンズ７０からなり、絞り８１に対して物体側Ｌａでは、第３レンズ３０と第４レンズ４０とが接合レンズ（第１接合レンズ１１０）を構成している。このため、第３レンズ３０の像側Ｌｂの面と第４レンズ４０の物体側Ｌａの面との間に高い位置精度を出すことができる。従って、像面湾曲や像面倒れを十分に補正することができる。また、色収差を適切に補正することができる。また、絞り８１に対して像側Ｌｂでは、正レンズである第５レンズ５０と、負レンズである第６レンズ６０と正レンズである第７レンズ７０との接合レンズ（第２接合レンズ１２０）が配置されたトリプレット構成となっている。このため、非点収差、球面収差、倍率色収差等を十分に補正することができる。また、第２接合レンズ１２０では、第６レンズ６０の像側Ｌｂの凹面と第７レンズ７０の物体側Ｌａの凸面とが接合されているため、非点収差以外の収差、例えば、色収差を適切に補正することができる。また、第１接合レンズ１１０および第２接合レンズ１２０の２つの接合レンズが配置されているので、広角レンズ１００の色収差を十分に補正することができる。従って、さらなる高解像度化を実現することができる。しかも、第３レンズ３０、第４レンズ４０、第６レンズ６０、および第７レンズ７０がプラスチックレンズであるため、低コスト化を図ることができる。また、本形態では、第２レンズ２０もプラスチックレンズであるため、さらに低コスト化や軽量化を図ることができる。
【００５８】
また、第３レンズ３０は両凹レンズであり、第４レンズ４０は両凸レンズである。このため、絞り８１の両側（物体側Ｌａおよび像側Ｌｂ）に正レンズからなる第４レンズ４０および第５レンズ５０を配置したレンズ構成とすることができ、かかるレンズ構成では、絞り８１の両側が対称に近い構成となる。従って、周辺部での非点収差や倍率色収差を減少させることができる。従って、さらなる高解像度化を実現することができる。また、負レンズからなる第３レンズ３０を配置したため、第４レンズ４０より前側の負のパワーを第１レンズ１０、第２レンズ２０および第３レンズ３０で分割することができる。それ故、第１レンズ１０の像側Ｌｂの凹面（レンズ面１０２）を浅くすることができるので、第１レンズ１０の製造が容易である。特に、本形態では、第１レンズ１０がガラスレンズであるため、第１レンズ１０の像側Ｌｂの凹面（レンズ面１０２）が浅ければ、第１レンズ１０の製造がより容易である。
【００５９】
また、第１接合レンズ１１０では、第４レンズ４０の凹部４６２の内周面からなる段部４６５が、フランジ部３６の突出部３６２の外周面３６５に当接し、段部４６５は、フランジ部３６の径方向における位置を規定する。従って、第３レンズ３０の像側Ｌｂのレンズ面３２、および第４レンズ４０の物体側Ｌａのレンズ面４１の曲率半径が大きいため、第３レンズ３０のレンズ面３１と第４レンズ４０のレンズ面４１との位置合わせが難しい場合でも、第３レンズ３０と第４レンズ４０とが径方向において高い位置精度で接合される。従って、広角レンズ１００の色収差を適正に補正することができる。それ故、さらなる高解像度化を実現することができる。
【００６０】
また、第５レンズ５０は、ガラスレンズである。このため、温度変化に伴う屈折率変化が小さいので、広角レンズ１００の温度特性を向上することができる。すなわち、ガラスレンズである第５レンズ５０によって、温度変化による広角レンズ１００のフォーカスズレを抑えることができるため、広角レンズ１００の温度特性を向上することができる。それ故、広い温度範囲にわたって、さらなる高解像度化を実現することができる。また、第５レンズ５０は、物体側Ｌａおよび像側Ｌｂの双方に凸面を向けた両凸レンズである。このため、絞り８１に対して像側Ｌｂでは、正レンズである第５レンズ５０と、負レンズである第６レンズ６０と正レンズである第７レンズ７０との接合レンズ（第２接合レンズ１２０）が配置されたトリプレット構成とすることが容易である。また、第５レンズ５０が十分な正のパワーを有するため、第６レンズ６０および第７レンズ７０のサグ量を低減することができる等、第６レンズ６０および第７レンズ７０の構成を簡素化することができる。また、最も物体側Ｌａに配置される第１レンズ１０がガラスレンズであるため、第１レンズ１０に傷等がつきにくい。
【００６１】
また、第１接合レンズ１１０と第２接合レンズ１２０とでは、接合されたレンズの屈折率の大小関係が絞り８１を挟んで対称である。従って、絞り８１より物体側Ｌａで発生した収差と絞り８１より像側Ｌｂで発生した収差とを打ち消しやすいので、非点収差や像面湾曲を適正に補正することができる。
【００６２】
また、第４レンズ４０の屈折率ｎ４およびアッベ数ν４が以下の条件
ｎ４≧１．６
ν４≦２６
を満たしている。従って、倍率色収差を適正に補正することができるので、さらなる高解像度化を実現することができる。また、広角レンズ１００の全長を短くすることができる。
【００６３】
また、第６レンズ６０の屈折率ｎ６およびアッベ数ν６が以下の条件
ｎ６≧１．６
ν６≦２６
を満たしている。従って、倍率色収差を適正に補正することができるので、さらなる高解像度化を実現することができる。また、広角レンズ１００の全長を短くすることができる。かかる構成の場合、第６レンズ６０のアッベ数ν６が小さい分、色分散が大きくなる傾向にあるが、絞り８１に対して第２接合レンズ１２０とは反対側に配置された第１接合レンズ１１０でも、第４レンズ４０のアッベ数ν４が小さい。従って、第１接合レンズ１１０と第２接合レンズ１２０とでは、接合されたレンズのアッベ数の大小関係が絞り８１を挟んで対称である。それ故、絞り８１より物体側Ｌａで発生した倍率色収差と、絞り８１より像側Ｌｂで発生した倍率色収差とを打ち消しやすいので、倍率色収差を小さく抑えることができる。
【００６４】
また、第２レンズ２０は、物体側Ｌａのレンズ面２１および像側Ｌｂのレンズ面２２の少なくとも一方が非球面である。本形態では、物体側Ｌａのレンズ面２１および像側Ｌｂのレンズ面２２の双方が非球面である。また、第３レンズ３０の物体側Ｌａのレンズ面３１、および第４レンズ４０の像側Ｌｂのレンズ面４２が非球面である。さらに、第６レンズ６０の物体側Ｌａおよび像側Ｌｂのレンズ面６１、６２、および第７レンズ７０の物体側Ｌａおよび像側Ｌｂのレンズ面７１、７２が非球面である。従って、球面収差等を適正に補正することができる。
【００６５】
本形態において、広角レンズ１００の射影方式は、中心像よりも周辺像の方が大きくなる立体射影である。かかる立体射影方式の場合、色収差の発生が増えるが、第１接合レンズ１１０を設けてあるので、色収差を第１接合レンズ１１０によって適切に補正することができる。
【００６６】
また、本実施形態の広角レンズ１００においては、合成焦点距離を表２に示し、以下に説明する条件式（１）〜（７）に関連する各値を表３に示すように、条件式（１）〜（７）を満たしている。なお、表３には、後述する実施形態２の各値も示してある。また、表３に示す値や以下に説明する値は、四捨五入による端数処理を行ってある。
【００６７】
【表２】
2018110526.tif 000005
【００６８】
【表３】
2018110526.tif 000006
【００６９】
表１に示すように、本実施形態では、レンズ系全体の光軸上における第１レンズ１０の物体側Ｌａのレンズ面１０１から像面までの距離である全長ｄ０（Total Track）は、１２．１９８ｍｍであり、レンズ系全体の合成焦点距離ｆ０は０．８５５ｍｍである。第１レンズ１０、第２レンズ２０、第３レンズ３０、第４レンズ４０、第５レンズ５０、第６レンズ６０、および第７レンズ７０の焦点距離は各々、−６．４４１ｍｍ、−２．８１８ｍｍ、−４．８１８ｍｍ、３．２２９ｍｍ、３．２０８ｍｍ、−１．２４５ｍｍ、および１．３１７ｍｍである。
【００７０】
表２に示すように、第１レンズ１０および第２レンズ２０の合成焦点距離ｆ１２、第１接合レンズ１１０の焦点距離（第３レンズ３０および第４レンズ４０の合成焦点距離ｆ３４）、および第２接合レンズ１２０の焦点距離（第６レンズ６０および第７レンズ７０の合成焦点距離ｆ６７）は各々、−１．６９７ｍｍ、６．１９３ｍｍ、および７．０１０ｍｍである。第１レンズ１０、第２レンズ２０、第３レンズ３０、および第４レンズ４０の合成焦点距離ｆ１２３４は、−２６．１５３ｍｍである。第５レンズ５０、第６レンズ６０、および第７レンズ７０の合成焦点距離ｆ５６７は、２．８４５ｍｍである。第３レンズ３０、第４レンズ４０、第５レンズ５０、第６レンズ６０、および第７レンズ７０の合成焦点距離ｆ３４５６７は、２．１０３ｍｍである。
【００７１】
それ故、表３に示すように、本形態の広角レンズ１００は、以下に説明する条件式（１）〜（７）を満たしている。まず、合成焦点距離ｆ３４、ｆ５６７の比（ｆ３４／ｆ５６７）は、２．１７６であり、以下の条件式（１）を満たしている。従って、色収差をバランスよく補正することができる。
１＜ｆ３４／ｆ５６７＜４    ・・条件式（１）
【００７２】
合成焦点距離ｆ３４、ｆ０の比（ｆ３４／ｆ０）は、７．２４６であり、以下の条件式（２）を満たしている。かかる態様では、ｆ３４／ｆ０が２（下限）を超えているため、物体側Ｌａに配置されたレンズのパワーが強くなりすぎることを回避することができる。従って、像面湾曲、倍率色収差、コマ収差等の各種収差の補正を適正に行うことができ、高い光学特性を実現することができる。また、ｆ３４／ｆ０が９（上限）未満であるため、レンズ径が大きくなりすぎることを抑制することができるとともに、レンズ系全体の全長が長くなることを回避することができる。それ故、広角レンズ１００の小型化を図ることができる。
２＜ｆ３４／ｆ０＜９    ・・条件式（２）
【００７３】
第５レンズ５０の焦点距離ｆ５とレンズ系全体の合成焦点距離ｆ０の比（ｆ５／ｆ０）は、３．７５３であり、以下の条件式（３）を満たしている。かかる態様では、ｆ５／ｆ０が２（下限）を超えているため、物体側Ｌａに配置されたレンズのパワーが強くなりすぎることを回避することができる。従って、像面湾曲、倍率色収差、コマ収差等の各種収差の補正を適正に行うことができ、光学特性に優れた広角レンズ１００を実現することができる。また、ｆ５／ｆ０が４未満であるため、レンズ径が大きくなりすぎることを抑制することができるとともに、レンズ系全体の全長が長くなることを回避することができる。それ故、広角レンズ１００の小型化を図ることができる。
２＜ｆ５／ｆ０＜４    ・・条件式（３）
【００７４】
合成焦点距離ｆ５６７、ｆ０の比（ｆ５６７／ｆ０）は、３．３２９であり、以下の条件式（４）を満たしている。かかる態様では、ｆ５６７／ｆ０が２（下限）を超えるため、第５レンズ５０、第６レンズ６０および第７レンズ７０からなるレンズ群のパワーが強くなりすぎてしまうことを防ぐことができる。従って、各収差、特に色収差の補正をより良好に行うことができ、さらに高い光学性能を実現することができる。また、ｆ５６７／ｆ０が４（上限）未満であるため、レンズ径が大きくなりすぎることを抑制することができるとともに、レンズ系全体の全長が長くなることを回避することができる。それ故、広角レンズの小型化を図ることができる。
２＜ｆ５６７／ｆ０＜４    ・・条件式（４）
【００７５】
合成焦点距離ｆ１２、ｆ０の比の絶対値（｜ｆ１２／ｆ０｜）は、１．９８５であり、以下の条件式（５）を満たしている。かかる態様によれば、｜ｆ１２／ｆ０｜が０．５（下限）を超えるため、像面湾曲を抑えることができる。また、｜ｆ１２／ｆ０｜が２．５（上限）未満であるため、視野角を大きくすることができる。
０．５＜｜ｆ１２／ｆ０｜＜２．５    ・・条件式（５）
【００７６】
合成焦点距離ｆ１２、ｆ３４５６７の比の絶対値（｜ｆ１２／ｆ３４５６７｜）は、０．８０７であり、以下の条件式（６）を満たしている。かかる態様では、｜ｆ１２／ｆ３４５６７｜の値が１（上限）未満であるため、正のパワーが強くなりすぎることを抑制することができる。従って、コマ収差や非点収差を適正に補正することができる。また、｜ｆ１２／ｆ３４５６７｜の値が０．１（下限）を超えるため、負のパワーが強くなりすぎることを抑制することができる。従って、レンズ系全体の全長が長くなることをさらに回避することができるため、広角レンズの小型化を図ることができる。
０．１＜｜ｆ１２／ｆ３４５６７｜＜１    ・・条件式（６）
【００７７】
全長ｄ０と合成焦点距離ｆ０との比（ｄ０／ｆ０）は、１４．２７２であり、条件式（７）を満たしている。かかる態様によれば、ｄ０／ｆ０の値が１０（下限）を超えているので、球面収差や歪曲収差を適正に補正することができる。また、ｄ０／ｆ０の値が１８（上限）未満であるので、レンズ径が大きくなりすぎることを抑制することができるとともに、レンズ系全体の全長が長くなることを回避することができる。それ故、広角レンズの小型化を図ることができる。
１０＜ｄ０／ｆ０＜１８    ・・条件式（７）
【００７８】
［実施形態２］
図９は、本発明の実施形態２に係る広角レンズ１００の面番号等を示す説明図である。図１０は、図９に示す広角レンズ１００の球面収差を示す説明図である。図１１は、図９に示す広角レンズ１００の倍率色収差を示す説明図であり、最大画角（９６．６５６２ｄｅｇ／半角）における倍率色収差を示してある。図１２は、図９に示す広角レンズ１００の非点収差およびディストーションを示す説明図である。図１３は、図１に示す広角レンズ１００の横収差を示す説明図である。図１０、図１１、図１２には、赤色光Ｒ（波長６５６ｎｍ）、緑色光Ｇ（波長５８８ｎｍ）、青色光Ｂ（波長４８６ｎｍ）における各収差を示してある。図１３には、赤色光Ｒ（波長６５６ｎｍ）、緑色光Ｇ（波長５８８ｎｍ）、青色光Ｂ（波長４８６ｎｍ）の各角度０．００ｄｅｇ、２８．３６ｄｅｇ、５４．８８ｄｅｇ、７２．３７ｄｅｇ、９０．４９ｄｅｇ、および９６．６６ｄｅｇにおける光軸に直交する２方向（ｙ方向およびｘ方向）の横収差を纏めて示してある。なお、本形態の基本的な構成は、実施形態１と同様であるため、対応する部分には同一の符号を付して、それらの詳細な説明を省略する。
【００７９】
図９に示すように、本形態の広角レンズ１０も、実施形態１と同様、物体側Ｌａから像側Ｌｂに向けて順に配置された第１レンズ１０、第２レンズ２０、第３レンズ３０、第４レンズ４０、絞り８１、第５レンズ５０、第６レンズ６０、および第７レンズ７０からなり、第７レンズ７０に対して像側Ｌｂに平板状の赤外線フィルタ８２、透光性のカバー８３、および撮像素子８５が順に配置されている。第２レンズ２０と第３レンズ３０との間に円環状の遮光シート８４が配置されている。広角レンズ１００の射影方式は、中心像よりも周辺像の方が大きくなる立体射影である。
【００８０】
第１レンズ１０は、物体側Ｌａに凸面を向けた負メニスカスレンズであり、像側Ｌｂに凹面を向けている。第２レンズ２０は、像側Ｌｂに凹面を向けた負メニスカスレンズであり、物体側Ｌａに凸面を向けている。第３レンズ３０は、物体側Ｌａに凹面を向けた負レンズである。第４レンズ４０は、像側Ｌｂに凸面を向けた正レンズである。第５レンズ５０は、正レンズである。第６レンズ６０は、像側Ｌｂに凹面を向けた負レンズである。第７レンズ７０は、物体側Ｌａおよび像側Ｌｂの双方に凸面を向けた両凸レンズであり、正のパワーを有している。
【００８１】
第３レンズ３０、第４レンズ４０、第６レンズ６０および第７レンズ７０はいずれも、プラスチックレンズである。第３レンズ３０と第４レンズ４０は、第３レンズ３０の像側Ｌｂの面と第４レンズ４０の物体側Ｌａの面とが樹脂材により接合された第１接合レンズ１１０を構成し、第６レンズ６０と第７レンズ７０は、第６レンズ６０の像側Ｌｂの面と第７レンズ７０の物体側Ｌａの面とが樹脂材により接合された第２接合レンズ１２０を構成している。
【００８２】
本形態においては、第１レンズ１０の物体側Ｌａのレンズ面１０１（第１面１）は球面の凸面であり、第１レンズ１０の像側Ｌｂのレンズ面１０２（第２面２）は球面の凹面である。第２レンズ２０は、物体側Ｌａのレンズ面２１および像側Ｌｂのレンズ面２２の少なくとも一方が非球面である。より具体的には、第２レンズ２０の物体側Ｌａのレンズ面２１（第３面３）は非球面の凸面であり、第２レンズ２０の像側Ｌｂのレンズ面２２（第４面４）は非球面の凹面である。
【００８３】
第３レンズ３０および第４レンズ４０は各々、物体側Ｌａのレンズ面および像側Ｌｂのレンズ面のうちの少なくとも一方が非球面である。本形態において、第３レンズ３０は、物体側Ｌａおよび像側Ｌｂの双方に凹面を向けた両凹レンズである。より具体的には、第３レンズ３０において、物体側Ｌａのレンズ面３１（第５面５）は非球面の凹面であり、像側Ｌｂのレンズ面３２（第６面６）は球面の凹面である。第４レンズ４０は、物体側Ｌａおよび像側Ｌｂの双方に凸面を向けた両凸レンズである。より具体的には、第４レンズ４０において、物体側Ｌａのレンズ面４１は、第３レンズ３０のレンズ面３２と同一形状の球面からなる凸面からなり、第６面６を構成している。第４レンズ４０において、像側Ｌｂのレンズ面４２（第７面）は非球面の凸面である。
【００８４】
絞り８１は第８面８を構成している。第５レンズ５０は、物体側Ｌａのレンズ面５１（第９面９）および像側Ｌｂのレンズ面５２（第１０面１０）がいずれも球面の凸面からなる両凸レンズである。
【００８５】
第６レンズ６０および第７レンズ７０は各々、物体側Ｌａのレンズ面および像側Ｌｂのレンズ面のうちの少なくとも一方が非球面である。本形態において、第６レンズ６０において、物体側Ｌａのレンズ面６１（第１１面１１）は非球面の凸面であり、像側Ｌｂのレンズ面６２（第１２面１２）は非球面の凹面である。第７レンズ７０において、物体側Ｌａのレンズ面７１は、第６レンズ６０のレンズ面６２と同一形状の非球面からなる凸面からなり、第１２面１２を構成している。また、第７レンズ７０において、像側Ｌｂのレンズ面７２（第１３面）は非球面の凸面である。
【００８６】
なお、赤外線フィルタ８２の物体側Ｌａの面８２１は第１４面１４を構成し、像側Ｌｂの面８２２は第１５面１５を構成している。カバー８３の物体側Ｌａの面８３１は第１６面１６を構成し、像側Ｌｂの面８３２は第１７面１７を構成している。
【００８７】
ここで、第１レンズ１０および第５レンズ５０はガラスレンズであり、第２レンズ２０、第３レンズ３０、第４レンズ４０、第６レンズ６０および第７レンズ７０は、アクリル樹脂系、ポリカーボネート系、ポリオレフィン系等からなるプラスチックレンズである。
【００８８】
本形態の広角レンズ１００の各レンズの構成等は、表４に示す通りであり、レンズ系全体の焦点距離ｆ0は０．９０４であり、全長ｄ０（Total Track）は１２．２２５ｍｍであり、レンズ系全体のＦ値は２．０であり、最大画角は１９３ｄｅｇである。
【００８９】
【表４】
2018110526.tif 000007
【００９０】
第１接合レンズ１１０と第２接合レンズ１２０とでは、接合されたレンズの屈折率の大小関係が絞り８１を挟んで対称である。より具体的には、第１接合レンズ１１０において、第３レンズ３０の屈折率Ｎｄは１．５４４であり、第４レンズ４０の屈折率Ｎｄは１．６３５である。従って、第１接合レンズ１１０において、物体側Ｌａの第３レンズ３０の屈折率Ｎｄは、像側Ｌｂの第４レンズ４０の屈折率より大きい。これに対して、第２接合レンズ１２０において、第６レンズ６０の屈折率Ｎｄは１．６３５であり、第７レンズ７０の屈折率Ｎｄは１．５４４である。従って、第２接合レンズ１２０において、像側Ｌｂの第７レンズ７０の屈折率Ｎｄは、物体側Ｌａの第６レンズ６０の屈折率より大きい。それ故、絞り８１より物体側Ｌａで発生した収差と絞り８１より像側Ｌｂで発生した収差とを打ち消しやすいので、非点収差や像面湾曲を適正に補正することができる。
【００９１】
第４レンズ４０の屈折率ｎ４は１．６３５であり、第４レンズ４０のアッベ数ν４は２４．０であり、下式
ｎ４≧１．６
ν４≦２６
を満たしている。従って、倍率色収差を適正に補正することができるので、さらなる高解像度化を実現することができる。また、広角レンズ１００の全長を短くすることができる。
【００９２】
第６レンズ６０の屈折率ｎ６は１．６３５であり、第６レンズ６０のアッベ数ν６は２４．０であり、下式
ｎ６≧１．６
ν６≦２６
を満たしている。従って、倍率色収差を適正に補正することができるので、さらなる高解像度化を実現することができる。また、広角レンズ１００の全長を短くすることができる。かかる構成の場合、第６レンズ６０のアッベ数ν６が小さい分、色分散が大きくなる傾向にあるが、絞り８１に対して第２接合レンズ１２０とは反対側に配置された第１接合レンズ１１０でも、第４レンズ４０のアッベ数ν４が小さい。従って、第１接合レンズ１１０と第２接合レンズ１２０とでは、接合されたレンズのアッベ数の大小関係が絞り８１を挟んで対称である。それ故、絞り８１より物体側Ｌａで発生した倍率色収差と、絞り８１より像側Ｌｂで発生した倍率色収差とを打ち消しやすいので、倍率色収差を小さく抑えることができる。
【００９３】
本実施形態の広角レンズ１００において、第１レンズ１０、第２レンズ２０、第３レンズ３０、第４レンズ４０、第５レンズ５０、第６レンズ６０、および第７レンズ７０の焦点距離は各々、−６．２８６ｍｍ、−３．１０５ｍｍ、−５．２７５ｍｍ、３．４０４ｍｍ、３．１２０ｍｍ、−１．２３３ｍｍ、および１．３１３ｍｍである。
【００９４】
第１レンズ１０および第２レンズ２０の合成焦点距離ｆ１２、第１接合レンズ１１０の焦点距離（第３レンズ３０および第４レンズ４０の合成焦点距離ｆ３４）、および第２接合レンズ１２０の焦点距離（第６レンズ６０および第７レンズ７０の合成焦点距離ｆ６７）は各々、−１．７９９ｍｍ、６．２８２ｍｍ、および１０．２８０ｍｍである。第１レンズ１０、第２レンズ２０、第３レンズ３０、および第４レンズ４０の合成焦点距離ｆ１２３４は、−３８．７９７ｍｍである。第５レンズ５０、第６レンズ６０、および第７レンズ７０の合成焦点距離ｆ５６７の合成焦点距離ｆ５６７は、２．９５３ｍｍである。第３レンズ３０、第４レンズ４０、第５レンズ５０、第６レンズ６０、および第７レンズ７０の合成焦点距離ｆ３４５６７は、２．０９９ｍｍである。
【００９５】
それ故、本形態の広角レンズ１００は、表３に示すように、実施形態１で説明した条件式（１）〜（７）を満たしている。まず、合成焦点距離ｆ３４、ｆ５６７の比（ｆ３４／ｆ５６７）は、２．１２７であり、上記の条件式（１）を満たしている。従って、色収差をバランスよく補正することができる。
【００９６】
合成焦点距離ｆ３４、ｆ０の比（ｆ３４／ｆ０）は、６．９４７であり、上記した条件式（２）を満たしている。かかる態様では、ｆ３４／ｆ０が２（下限）を超えているため、物体側Ｌａに配置されたレンズのパワーが強くなりすぎることを回避することができる。従って、像面湾曲、倍率色収差、コマ収差等の各種収差の補正を適正に行うことができ、高い光学特性を実現することができる。また、ｆ３４／ｆ０が９（上限）未満であるため、レンズ径が大きくなりすぎることを抑制することができるとともに、レンズ系全体の全長が長くなることを回避することができる。それ故、広角レンズ１００の小型化を図ることができる。
【００９７】
第５レンズ５０の焦点距離ｆ５とレンズ系全体の合成焦点距離ｆ０の比（ｆ５／ｆ０）は、３．４５０であり、上記した条件式（３）を満たしている。かかる態様では、ｆ５／ｆ０が２（下限）を超えているため、物体側Ｌａに配置されたレンズのパワーが強くなりすぎることを回避することができる。従って、像面湾曲、倍率色収差、コマ収差等の各種収差の補正を適正に行うことができ、光学特性に優れた広角レンズ１００を実現することができる。また、ｆ５／ｆ０が４（上限）未満であるため、レンズ径が大きくなりすぎることを抑制することができるとともに、レンズ系全体の全長が長くなることを回避することができる。それ故、広角レンズ１００の小型化を図ることができる。
【００９８】
合成焦点距離ｆ５６７、ｆ０の比（ｆ５６７／ｆ０）は、３．２６５であり、上記した条件式（４）を満たしている。かかる態様では、ｆ５６７／ｆ０が２（下限）を超えるため、第５レンズ５０、第６レンズ６０および第７レンズ７０からなるレンズ群のパワーが強くなりすぎてしまうことを防ぐことができる。従って、各収差、特に色収差の補正をより良好に行うことができ、さらに高い光学性能を実現することができる。また、ｆ５６７／ｆ０が４（上限）未満であるため、レンズ径が大きくなりすぎることを抑制することができるとともに、レンズ系全体の全長が長くなることを回避することができる。それ故、広角レンズの小型化を図ることができる。
【００９９】
合成焦点距離ｆ１２、ｆ０の比の絶対値（｜ｆ１２／ｆ０｜）は、１．９８９であり、上記した条件式（５）を満たしている。かかる態様によれば、｜ｆ１２／ｆ０｜が０．５（下限）を超えるため、像面湾曲を抑えることができる。また、｜ｆ１２／ｆ０｜が２．５（上限）未満であるため、視野角を大きくすることができる。
【０１００】
合成焦点距離ｆ１２、ｆ３４５６７の比の絶対値（｜ｆ１２／ｆ３４５６７｜）は、０．８５７であり、上記した条件式（６）を満たしている。かかる態様では、｜ｆ１２／ｆ３４５６７｜の値が１（上限）未満であるため、正のパワーが強くなりすぎることを抑制することができる。従って、コマ収差や非点収差を適正に補正することができる。また、｜ｆ１２／ｆ３４５６７｜の値が０．１（下限）を超えるため、負のパワーが強くなりすぎることを抑制することができる。従って、レンズ系全体の全長が長くなることをさらに回避することができるため、広角レンズの小型化を図ることができる。
【０１０１】
全長ｄ０、および合成焦点距離ｆ０の比（ｄ０／ｆ０）は、１３．５１７であり、上記した条件式（７）を満たしている。かかる態様によれば、ｄ０／ｆ０の値が１０（下限）を超えているので、球面収差や歪曲収差を適正に補正することができる。また、ｄ0／ｆ0の値が１８（上限）未満であるので、レンズ径が大きくなりすぎることを抑制することができるとともに、レンズ系全体の全長が長くなることを回避することができる。それ故、広角レンズの小型化を図ることができる。
【０１０２】
図１０〜図１３に示すように、本形態の広角レンズ１００においては、球面収差、倍率色収差、非点収差（ディストーション）、および横収差が適正なレベルまで補正されている。
【０１０３】
以上説明したように、本形態の広角レンズ１００でも、実施形態１と同様、第３レンズ３０と第４レンズ４０とが接合レンズ（第１接合レンズ１１０）を構成している。このため、第３レンズ３０の像側Ｌｂの面と第４レンズ４０の物体側Ｌａの面との間に高い位置精度を出すことができる。従って、像面湾曲や像面倒れを十分に補正することができる等、実施形態１と同様な効果を奏する。
【０１０４】
［他の実施の形態］
上記実施の形態では、第１レンズ１０がガラスレンズであったが、プラスチックレンズであってもよい。この場合、第１レンズ１０の像側Ｌｂのレンズ面１０２を非球面とすることができる。上記実施の形態において、第３レンズ３０と第４レンズ４０とを位置決めするにあたって、第３レンズ３０にフランジ部３６に突出部３６２を設け、第４レンズ４０に凹部４６２を設けたが、第４レンズ４０のフランジ部４６に突出部を設け、第３レンズ３０に凹部を設け、凹部の内周面（段部）が、第４レンズ４０のフランジ部４６に設けた突出部の外周面に当接する態様を採用してもよい。
【産業上の利用可能性】
【０１０５】
本発明に係る広角レンズは、本発明に係る広角レンズは、物体側より順に配置された第１レンズ、第２レンズ、第３レンズ、第４レンズ、絞り、第５レンズ、第６レンズ、および第７レンズからなり、絞りに対して物体側では、第３レンズと第４レンズとが接合レンズ（第１接合レンズ）を構成している。このため、第３レンズの像側の面と第４レンズの物体側の面との間に高い位置精度を出すことができる。従って、像面湾曲や像面倒れを十分に補正することができる。また、色収差を適切に補正することができる。また、絞りに対して像側では、正レンズである第５レンズと、負レンズである第６レンズと正レンズである第７レンズとの接合レンズ（第２接合レンズ）が配置されたトリプレット構成となっている。このため、非点収差、球面収差、倍率色収差等を十分に補正することができる。また、第２接合レンズでは、第６レンズの像側の凹面と第７レンズの物体側の凸面とが接合されているため、非点収差以外の収差、例えば、色収差を適切に補正することができる。また、第１接合レンズおよび第２接合レンズの２つの接合レンズが配置されていることで、広角レンズの色収差を十分に補正することができる。従って、さらなる高解像度化を実現することができる。しかも、第３レンズ、第４レンズ、第６レンズ、および第７レンズがプラスチックレンズであるため、低コスト化を図ることができる。
【図１】
2018110526.tif 000008
【図２】
2018110526.tif 000009
【図３】
2018110526.tif 000010
【図４】
2018110526.tif 000011
【図５】
2018110526.tif 000012
【図６】
2018110526.tif 000013
【図７】
2018110526.tif 000014
【図８】
2018110526.tif 000015
【図９】
2018110526.tif 000016
【図１０】
2018110526.tif 000017
【図１１】
2018110526.tif 000018
【図１２】
2018110526.tif 000019
【図１３】
2018110526.tif 000020
【国際調査報告】
2018110526.tif 000021
2018110526.tif 000022
2018110526.tif 000023
2018110526.tif 000024